(57)【要約】【課題】  開瞼が不十分な場合であっても、角膜の所定変形を得られやすくし、信頼性の高い測定結果を得ることを課題とする。【解決手段】  角膜に流体を加圧して噴射する噴射手段と、角膜の変形状態を検出する角膜変形検出手段と、被検眼の開瞼状態の適否を検出する開瞼検出手段とを持つ測定部を備え、被検眼に対する測定部のアライメント完了後に前記開瞼検出手段により被検眼の開瞼が検出されたときに流体を噴射させ、前記角膜変形検出手段により所定変形を検出して眼圧を測定する非接触式眼圧計において、前記変形検出手段による角膜の所定変形に至る前の段階での検出結果に基づき前記流体噴射手段にて噴射する流体の圧力を設定して眼圧を測定する第１測定制御手段と、該第１測定制御手段による測定で所定変形の測定エラーが所定回数発生した場合、そのエラー発生時の噴射流体の圧力に対し、次の測定時の圧力を強くする第２測定制御手段を備える。【選択図】      図６
2007202735.tif 000002
【特許請求の範囲】
【請求項１】
被検眼角膜に流体を加圧して噴射する流体噴射手段と、噴射された流体による角膜の変形状態を検出する角膜変形検出手段と、被検眼の開瞼状態の適否を検出する開瞼検出手段とを持つ測定部を備え、被検眼に対する測定部のアライメント完了後に前記開瞼検出手段により被検眼の開瞼が検出されたときに流体を噴射させ、前記角膜変形検出手段により角膜の所定変形を検出して眼圧を測定する非接触式眼圧計において、
前記変形検出手段による角膜の所定変形に至る前の段階での検出結果に基づいて前記流体噴射手段にて噴射する流体の圧力を設定して眼圧を測定する第１測定制御手段と、
該第１測定制御手段による測定にて角膜の所定変形の測定エラーが所定回数発生した場合に、その測定エラー発生時に噴射した流体の圧力に対して、次の測定時の圧力を強く設定する第２測定制御手段を備えることを特徴とする非接触眼圧計。
【請求項２】
請求項１の非接触式眼圧計において、前記第２測定制御手段は、前記開瞼検出手段の検出結果に基づいて測定エラーの発生時の測定開始直前における開瞼の継続性を確認する確認手段を含み、該確認した開瞼の継続性に基づいて次の測定時の加圧を強く設定するか否かを決定することを特徴とする非接触眼圧計。
【請求項３】
請求項１の非接触式眼圧計において、前記第２測定制御手段は、加圧を強く設定して眼圧を測定した後に続く測定に際して、前記開瞼検知手段の検出結果に基づいて開瞼の継続性を確認する確認手段を含み、開瞼の継続性がある場合は次の測定時の加圧を強く設定を解除することを特徴とする非接触眼圧計。
【請求項４】
請求項１〜３の何れかの非接触式眼圧計において、測定結果を表示する表示手段と、前記第２測定制御手段により得られた測定結果を表示する際に通常の測定結果と区別するためのマークを付加して前記表示手段に表示させる表示制御手段と、を備えることを特徴とする非接触眼圧計。
【発明の詳細な説明】
【技術分野】
【０００１】
本発明は、被検眼の眼圧を非接触で測定する眼圧計に関する。
【背景技術】
【０００２】
被検眼に空気等の流体を加圧して噴出する流体噴射手段を備え、噴出された流体による角膜の変形状態を検出することに基づいて眼圧を測定する非接触式眼圧計が知られている。この非接触式眼圧計では、必要以上に強い圧力の流体を被検眼に噴射せずに眼圧を測定できることが好ましい。そのため、流体噴射による角膜の圧平（所定変形）に至る前の中間的な角膜変形を検出して流体噴射手段の加圧動作を停止する装置（例えば、特許文献１参照）、流体噴射による角膜変形の開始時を検出して流体噴射手段の加圧動作を停止する装置（特許文献２参照）が提案されている。
また、アライメント完了後に被検眼の開瞼の適否を検出し、開瞼が成されている時に自動的に流体を噴出して眼圧測定を実行し、開瞼が不十分なときに測定を実行せずに、開瞼を促す旨を報知する装置が知られている（例えば、特許文献３参照）。
【特許文献１】特開昭６３−２１６５３０号公報
【特許文献２】特開平１１−１９２２０９号公報
【特許文献３】特開平９−１４９８８４号公報
【発明の開示】
【発明が解決しようとする課題】
【０００３】
開瞼が不十分な場合、介助者が被検者の眼に指を添えて開瞼させることもあるが、介護者の指が被検者の眼球に触れてしまうことによる眼圧の上昇の恐れがある。このため、介助に頼らずに被検者が自力で開瞼することが望ましい。しかし、開瞼が十分な状態と不十分な状態が頻繁に変化する被検眼の場合には、次のような問題があった。すなわち、測定開始時に開瞼が成されていたとしても、流体が角膜に噴射されている間に、角膜の測定領域に部分的に瞼や睫毛が掛かってしまう。この場合、弱い圧力の流体の噴射では角膜を十分に圧平させることができず、角膜の圧平不良による測定エラーが起こりやすく、信頼性の高い測定結果がなかなか得られない。
【０００４】
本発明は、上記従来技術の問題点に鑑み、開瞼が不十分な場合であっても、角膜の所定変形を得られやすくし、より信頼性の高い測定結果を得ることができる非接触式眼圧計を提供することを技術課題とする。
【課題を解決するための手段】
【０００５】
上記課題を解決するために、本発明は以下のような構成を備えることを特徴とする。
【０００６】
（１）  被検眼角膜に流体を加圧して噴射する流体噴射手段と、噴射された流体による角膜の変形状態を検出する角膜変形検出手段と、被検眼の開瞼状態の適否を検出する開瞼検出手段とを持つ測定部を備え、被検眼に対する測定部のアライメント完了後に前記開瞼検出手段により被検眼の開瞼が検出されたときに流体を噴射させ、前記角膜変形検出手段により角膜の所定変形を検出して眼圧を測定する非接触式眼圧計において、
前記変形検出手段による角膜の所定変形に至る前の段階での検出結果に基づいて前記流体噴射手段にて噴射する流体の圧力を設定して眼圧を測定する第１測定制御手段と、
該第１測定制御手段による測定にて角膜の所定変形の測定エラーが所定回数発生した場合に、その測定エラー発生時に噴射した流体の圧力に対して、次の測定時の圧力を強く設定する第２測定制御手段を備えることを特徴とする。
（２）  （１）の非接触式眼圧計において、前記第２測定制御手段は、前記開瞼検出手段の検出結果に基づいて測定エラーの発生時の測定開始直前における開瞼の継続性を確認する確認手段を含み、該確認した開瞼の継続性に基づいて次の測定時の加圧を強く設定するか否かを決定することを特徴とする。
（３）  （１）の非接触式眼圧計において、前記第２測定制御手段は、加圧を強く設定して眼圧を測定した後に続く測定に際して、前記開瞼検知手段の検出結果に基づいて開瞼の継続性を確認する確認手段を含み、開瞼の継続性がある場合は次の測定時の加圧を強く設定を解除することを特徴とする。
（４）  （１）〜（３）の何れかの非接触式眼圧計において、測定結果を表示する表示手段と、前記第２測定制御手段により得られた測定結果を表示する際に通常の測定結果と区別するためのマークを付加して前記表示手段に表示させる表示制御手段と、を備えることを特徴とする。
【発明の効果】
【０００７】
本発明によれば、開瞼が不十分な場合であっても、角膜の所定変形を得られやすくし、より信頼性の高い測定結果を得ることができる。
【発明を実施するための最良の形態】
【０００８】
本発明の実施形態を図面に基づいて説明する。図１は非接触眼圧計の外観概略図である。１は基台であり、被検眼を固定するための顎台２が固設されている。３は本体部、４は後述する光学系を収納した測定部であり、５は本体部３と測定部４を移動するためのジョイスティックである。本体部３は、ジョイスティック５の操作により、基台１の水平面上を前後方向（Ｚ方向）及び左右方向（Ｘ方向）に摺動される。また、ジョイスティック５のノブの操作により、測定部４は本体部３に対して上下方向（Ｙ方向）に移動される。さらに、測定部４は、後述する制御部によって駆動制御されるモータにより、本体部３に対してＸＹＺ方向にも移動される。
【０００９】
６は圧縮気体を被検眼に向けて噴出するためのノズルである。測定部４の被検者側にはノズル６を中心にして被検眼の角膜周辺にアライメント指標を投影する４個の光源７ａ〜７ｄが配置されている。また、本体部３のジョイスティック５側（検者側）には、観察用のＴＶモニタが備えられている。
【００１０】
図２は、測定部４に配置される光学系を上から見た要部図である。
【００１１】
＜観察光学系＞  １０は観察光学系であり、Ｌ１はその光軸を示す。観察光学系１０は上下左右方向の第１及び第２アライメント用の指標（後述する）を検出する指標検出光学系を兼ねる。観察光学系１０の光路上には気体を噴出するノズル６がガラス板８ａ，８ｂに保持されて配置され、その軸と光軸Ｌ１は一致している。光軸Ｌ１上には、ビームスプリッタ１１、対物レンズ１２、ビームスプリッタ１４、フィルタ１５、ＣＣＤカメラ１６が配置されている。フィルタ１５は、第１及び第２アライメント指標光学系（後述）とレチクル投影光学系の光を透過し、可視光及び距離指標投影光学系（後述）の光に対して不透過の特性を持つ。ＣＣＤカメラ１６に結像した像はモニタ１７に表示される。
【００１２】
＜レチクル投影・固視光学系＞  レチクル投影光学系２０は、レチクル投影用光源２１、円環状のマークを有するレチクル板２２、投影レンズ２３を備える。光源２１に照明されたレチクル板２２上のレチクルは、レンズ２３、ビームスプリッタ１４、フィルタ１５を介してＣＣＤカメラ１６に受像される。固視光学系２５は、可視光を発する光源２６、固視標板２７、投影レンズ２８を持つ。光源２６の点灯により固視標板２７を出射した光束は、投影レンズ２８を通過後、ビームスプリッタ１４によって反射されて被検眼Ｅに向かう。
【００１３】
＜ＸＹアライメント指標投影光学系＞  ３０はＸＹアライメント指標投影光学系である。中央指標投影用赤外ＬＥＤ３１を出射した光束は、投影レンズ３２を介してビームスプリッタ１１により反射され、被検眼角膜Ｅｃに照射される。これにより、指標ｉ１が形成される。
【００１４】
＜開瞼検出指標投影光学系＞  ７は開瞼指標投影光学系を示す。赤外ＬＥＤ７ａと７ｂ及び赤外ＬＥＤ７ｃと７ｄは、それぞれ光軸Ｌ１を挟んで同じ高さ距離に配置され、指標の光学的距離を同一にしている。ＬＥＤ７ａ、７ｂからの光により指標ｉ２、ｉ３が形成される。ＬＥＤ７ｃ、７ｄからの光により指標ｉ４、ｉ５が形成される。指標ｉ２、ｉ３はノズル６より空気が吹き付けられる測定領域よりやや上側に形成され、指標ｉ４、ｉ５は測定領域よりやや下側に形成される。ＬＥＤ７ａ〜７ｄは被検眼前眼部を照明する照明用光源を兼ねている。また、指標ｉ２〜ｉ５はＸＹのアライメント指標としても兼用される。指標ｉ２〜ｉ５の光束は観察光学系１０を介し、ＣＣＤカメラ１６に像を形成する。
【００１５】
＜距離指標投影・検出光学系＞  ５０は距離指標投影光学系である。赤外ＬＥＤ５１を出射した光は投影レンズ５２によって平行光束とされ、角膜Ｅｃに投光される。６０は距離指標検出光学系である。ＬＥＤ５１からの光により、指標ｉ６が形成される。指標ｉ６の光束は受光レンズ６１、ＬＥＤ７ａ〜７ｄ及びＬＥＤ３１の光に対して不透過の特性を持つフィルタ６２、ビームスプリッタ５４を介し一次元位置検出素子６３に入射する。制御部７０は検出素子６３で検出される受光位置に基づいて作動距離情報を得る。
【００１６】
＜角膜変形検出光学系＞  ９０は角膜変形検出光学系である。角膜で反射した光は受光レンズ６１、フィルタ６２を通過した後、ビームスプリッタ５４で反射し、ピンホール板５５を通過して光検出器５６に受光される。この検出光学系９０は、被検眼角膜がノズル６からの空気の吹き付けにより圧平（所定の変形状態）とされたときに、光検出器５６の受光量が最大になるように配置されている。
【００１７】
図３は、流体噴射機構及び制御系の概略図である。流体噴射機構は測定部４に配置される。
【００１８】
［流体噴射機構］  ４１は空気圧縮用のシリンダ部であり、眼圧計本体の水平線に対して傾斜して設けられている。ロータリソレノイド４３に駆動エネルギである電荷（電流、電圧）が付与されると、ピストン４２はシリンダ４１に沿って上に押し上げられる。ピストン４２の上昇によりシリンダ部４１に連通する空気圧縮室４４で圧縮された空気は、ノズル６から被検眼角膜に向けて噴出される。また、ロータリソレノイド４３には図示なきコイルバネが備えられている。ロータリソレノイド４３に付与される電荷がカットされると、コイルバネの下降方向への付勢力によりピストン４２が下降して初期位置に戻される。
【００１９】
４９はノズル６の背面に設けられた透明なガラス板であり、空気圧縮室４４の後壁を構成するとともに、観察光やアライメント光を透過させる。ガラス板４９の背後には、前述した観察およびアライメントのための光学系が配置される。４５は空気圧縮室４４の圧力を検出する圧力センサである。
【００２０】
［制御系］  ７０は制御部、４６は圧力センサ４５からの信号処理を行う圧力検出処理部、４８は光検出器５６からの信号処理を行う信号検出処理部、４７はロータリソレノイド４３を駆動させるための駆動部である。７１は画像処理部、７２は距離指標の検出部である。７４は測定部４を移動させる３次元移動機構であり、これはスライド機構及びモータ等の周知の機構で構成できる。８１は文字情報や図形等を生成するキャラクタ表示部、８２は合成部である。８０はスイッチ群であり、アライメントモード、開瞼検出等のモード切換えスイッチを備える。８４は測定開始の信号を入力する測定スイッチである。
【００２１】
制御部７０は画像処理部７１により検出処理される指標ｉ１〜ｉ５の像を基にＸＹの偏位情報や開瞼情報を得る。また、制御部７０は距離視標検出部７２を介して入力される一次元位置検出素子６３からの信号により、Ｚ方向の偏位情報を得る。Ｚ方向の偏位情報は、表示部８１を介して、合成部８２においてＣＣＤカメラ１６からの映像信号と合成され、ＴＶモニタ１７上に出力される。
【００２２】
図４はモニタ１７上に表示される画面例である。被検眼の開瞼が十分であり、ＸＹ方向が適正な状態にアライメントされた状態では、指標投影光学系７により角膜周辺に形成された指標像ｉ２０、ｉ３０、ｉ４０、ｉ５０と、指標投影光学系３０により角膜中心付近に形成された指標像ｉ１０が映出される。１４１はレチクル像を示す。１４２は距離マ−クを示し、距離マ−ク１４２は被検眼の角膜とノズル６との距離に対応してレチクル像１４１の上下を移動し、角膜が適正作動距離にあるとレチクル像１４１に重なる。図４において、点線で示した円形領域１４３は、圧縮空気が吹き付けられる測定領域である。
【００２３】
以上の構成を備える非接触式眼圧計において、その動作について説明する。被検眼の開瞼状態が十分であり、弱い圧力の空気の噴射により測定が行われる場合を説明する。スイッチ群８０のモード選択スイッチにより、オートアライメントモード及び開瞼検出モード（アライメント完了後の開瞼検出により測定が自動的に実行されるモード）が選択されているものとする。また、測定エラーを除いた所定回数（例えば３回）を連続的に測定する連続測定モードが選択されているものとする。
【００２４】
検者は、モニタ１７に表示される前眼部像を観察し、指標像ｉ１０がレチクル像１４１に入るように、また、前眼部のピントが合うように、ジョイスティック５等を操作して測定部４を被検眼に粗くアライメントする。制御部７０は、指標像ｉ１０が検出されるようになると、ＸＹ方向アライメント完了の許容範囲内に入れるように、３次元移動機構７４を制御して測定部４を移動させる。また、制御部７０は、一次元位置検出素子６３の出力に基づいて３次元移動機構７４を制御し、Ｚ方向がアライメント完了の許容範囲に入るように測定部４を移動させる。
【００２５】
ここで、ＸＹ方向のアライメントが許容範囲に入ると、制御部７０は瞼の開き具合（開瞼）の適否を判定する。この判定は、上側の指標像ｉ２０，ｉ３０の少なくともいずれか一方と、下側の指標像ｉ４０，ｉ５０の少なくともいずれか一方が検出され、その光量レベルが所定以上の値であるかにより行う。瞼や睫毛等の異物が測定領域に掛かっていると、ＬＥＤ７ａ，７ｂ，７ｃ，７ｄから出射した光束は異物の表面で乱反射されるため、指標ｉ２〜ｉ５の光束はＣＣＤカメラ１６の撮像素子上で大きく広がって入射する。したがって、所定以上の光量レベルの指標像ｉ２０〜ｉ５０が検出されるか否かにより、開瞼しているか否かを検出することができる（開瞼検出は、特開平９−１４９８８４号公報に記載した技術と同様なものが使用できる）。
【００２６】
アライメント完了後に開瞼が成されていることが検出された場合、制御部７０はトリガ信号を自動的に発してロータリソレノイド４３を駆動させ、眼圧測定を開始する。以下に、角膜の所定変形（圧平）が検出される前に噴射機構の加圧動作を停止し、弱い圧力で眼圧測定する場合を説明する。
【００２７】
図５は圧力センサ４５による圧力信号Ｐｎ及び光検出器５６の受光量に基づく変形信号Ｑｎの変化を時系列的に示した図である。ピストン４２が上昇を開始すると、空気圧縮室４４内の空気が圧縮され、圧力Ｐｎはピストン４２の上昇に伴いほぼリニアに上昇する。ノズル６により被検眼Ｅに噴射（吐出）される圧縮空気の圧力も同様に上昇しながら吹き付けられる。圧縮空気による角膜変形が開始すると、光検出器５６の受光量が著しく大きくなり始めるため、変形信号Ｑｎは急激に増加し始める。制御部７０は変形信号Ｑｎが急激に増加する立ち上がり点ｑ１での圧力Ｐ１を検出する。
【００２８】
制御部７０は、圧力センサ４５からの信号により圧縮室４４の圧力を得ており、圧力値Ｐ１から予め設定された圧力上昇値ΔＰ分変化した圧力値Ｐ２が得られると、ロータリソレノイド４３への電荷供給を停止する（加圧動作を停止する）。ΔＰは、角膜変形検出のピーク信号ｑ２、ｑ３が検出されるように、眼圧変動要因を考慮した裕度を持った値として決定される。ロータリソレノイド４３への電荷供給の停止後、ピストン４２は慣性力で上昇するが、コイルバネによる下降方向への付勢力及び重力が働くため、ピストン４２の速度は減衰されて一旦停止し、その後下降する。これにより、空気圧縮室４４の圧力も圧力値Ｐ２よりやや高い圧力まで上昇した後、下がるようになる。変形信号Ｑｎはピストン４２が慣性で上昇を続けている間にピーク点ｑ２を迎え、その後一旦減少し、再びピーク点ｑ３を迎えた後、減少していく。２つに分離したピーク点ｑ２、ｑ３は、角膜が圧平（所定形状に変形）されたことを示す。なお、角膜の圧平不良か否かは、次のような要素を含めて判定される。ピーク点ｑ２の変形信号Ｑｎが所定レベル以上あり、圧力信号Ｐｎが最大値に達したときの変形信号Ｑｎのレベルがピーク点ｑ２に対して十分に分離し、さらに圧力信号Ｐｎの最大値に対してピーク点ｑ２のときの圧力信号値が所定レベル以下であるときに、角膜の圧平（所定変形）が検出されていると判定される。眼圧値は、ピーク点ｑ２が得られたときの圧力又は時間Ｔに基づいて算出される。
【００２９】
一方、図５において、点線で示された圧力信号Ｐｍは、変形信号Ｑｎのピーク点ｑ２が得られた後にロータリソレノイド４３への電荷供給の停止した場合を示す。この場合、圧力信号Ｐｎに比べて強い圧力の空気が噴射されており、被検眼に負担を掛けることになる。
【００３０】
したがって、角膜変形の開始時を基準にして角膜が圧平されるピーク点ｑ２が検出され前の段階で所定圧力が上昇したときに噴射機構の加圧動作を停止することにより、より弱い圧力で眼圧を測定できる。
【００３１】
図５のΔＰは点ｑ１の時間に基づいて変動させてもよい。すなわち、角膜変形の開始時期は被検眼の眼圧によって異なる。被検眼の眼圧が高い場合、噴射圧力が高くならないと角膜変形が開始しないため、変形開始時期は遅くなる。逆に、眼圧が低いと吐出空気圧力が低くても角膜変形が生じるため、変形開始時期は早くなることに基づくΔＰの変動である。こうすると、眼圧に応じてより適切な圧縮空気の噴射とすることができる。また、点ｑ１での圧力Ｐ１に基づいてΔＰを変動させるようにしてもよい。すなわち、眼圧が低いと低い噴出圧で変形が開始し、圧力Ｐ１は小さい値で検出される。そして、ピーク点ｑ１からピーク点ｑ２までの所要時間は短くなるため、ΔＰを小さく設定する。逆に眼圧が高い場合は所定の変形状態までの時間が長くなるため、ΔＰを大きく設定する。
【００３２】
また、角膜が圧平されるピーク点ｑ２が検出される前の段階で噴射機構の加圧動作を停止するタイミングは、変形信号Ｑｎにより途中の角膜変形が検出された時点としても良い。
【００３３】
しかし、上記のように角膜の圧平が検出される前に加圧動作を停止し、弱い圧力の空気を噴射させる制御においては、前述のような問題がある。すなわち、図７に示すように、瞼や睫毛が測定領域（図７の円形領域１４３）の上に僅かに掛かり、継続して十分に開瞼できない被検者の場合には、開瞼が十分な状態と開瞼不良の状態が頻繁に切り換わる。このため、測定開始の段階（測定スイッチ８４のトリガ信号が入力された場合も含む）においては開瞼が成されていたとしても、空気が噴射されている間に測定領域に瞼や睫毛が掛かり、角膜の圧平不良となりやすい。この場合、信頼性の高い測定結果が得られ難い。
【００３４】
そこで、上記のような圧平不良の測定エラーが所定回数発生した場合（例えば、２回以上続いて発生した場合）には、制御部７０は次回の測定時の噴射機構を次のように制御するように設定する。図６に検出圧力Ｐｎ及び変形信号Ｑｎの変化を示す。制御部７０は、角膜変形の開始時点である点ｑ１での圧力Ｐ１を検出した後、圧平不良による測定エラーが発生した時の加圧動作を停止させる圧力Ｐ２に対して、ΔＰａ分だけ圧力を強くした圧力Ｐ３が得られた段階で加圧動作を停止させる。例えば、圧力Ｐ３は圧力Ｐ２を基準に２０％アップとする。あるいは、ΔＰａはΔＰを基準に３０％アップとする。または、圧力Ｐ１を基準としてもよい。これにより、測定領域に掛かった瞼や睫毛に左右されずに角膜の圧平が得られやすくなる。加圧動作を停止する段階は、時間を基準にしても良い。例えば、角膜変形の開始時点である点ｑ１を基準に３０％だけ長くした時間が経過した段階で加圧動作を停止する。これでも圧平エラーが発生する場合は、さらに噴射する圧力を３０％等だけアップさせるように噴射機構を制御する。
【００３５】
なお、噴射する空気の圧力を強くする場合の加圧動作の停止は、確実に角膜の圧平が検出された段階としても良い。すなわち、図６において、変形信号Ｑｎのピーク点ｑ２ａが検出された段階で加圧動作を停止させる。
【００３６】
上記のような圧平不良による測定エラーの発生時に対して噴射する空気の圧力を強くする測定制御（以下、＜圧力増加の測定制御＞とする）は、継続して十分に開瞼がなされいるか否かに基づいて実施することが好ましい。すなわち、圧平不良による測定エラーが発生した場合、制御部７０は、測定開始直前の所定時間ｔ（例えば、２秒間）における開瞼の継続性を指標像ｉ２０〜ｉ５０の検出結果に基づいて確認する。測定開始直前の２秒間に継続して開瞼が検出されていれば、開瞼を十分に維持できる可能性があるので、制御部７０は、＜圧力増加の測定制御＞を実施しないと決定する。一方、測定開始直前の２秒間に継続した開瞼が検出されず、開瞼不良が頻繁に発生している場合には、空気噴射時にも開瞼不良の起こる可能性が高いので、制御部７０は、＜圧力増加の測定制御＞を実施すると決定する。これにより、弱い圧力の空気の噴射を重視しつつ、開瞼不良による測定エラーが発生しやすい被検眼に対しては、なかなか測定結果が得られないことを回避し、より信頼性の高い測定結果を得ることができる。
【００３７】
また、眼圧測定は、通常、同一被検眼で連続的に複数回（例えば、３回）実施される。連続測定に際して、制御部７０はロータリソレノイド４３のチャージ時間ｔｃ（例えば、２秒）の間における開瞼の継続性を確認する。時間ｔｃの間に開瞼不良が頻繁に発生する場合は、制御部７０は次の測定も＜圧力増加の測定制御＞を実施する。時間ｔｃの間に開瞼不良が検出されないときは、十分な開瞼が維持できるものとして、制御部７０は＜圧力増加の測定制御＞を解除し、通常の圧力制御に戻して測定を実施する。これにより、正常な開瞼を維持可能な被検者に対して、弱い圧力での測定に戻され、被検者に負担を掛けずに済む。
【００３８】
また、上記の＜圧力増加の測定制御＞を実施するモードに入ったときは、制御部７０はその旨をモニタ１７に表示し、あるいは、音声などで検者に知らせることが好ましい。またさらに、測定に際して、上記の＜圧力増加の測定制御＞を適用すか否かは、スイッチ群８０のモード選択スイッチで選択可能である。また、測定結果は、モニタ１７に表示される。ここで、＜圧力増加の測定制御＞の実施により得られた測定結果を表示するときは、通常の測定結果と区別するために、測定結果の眼圧値の横に＜！＞のような識別マークを付けると良い（図７参照）。
【００３９】
上記の実施形態は種々の変容が可能である。例えば、空気の圧力を強くする噴射機構の加圧動作の制御は、加圧動作（ロータリソレノイド４３の駆動）の停止のタイミングを制御するのではなく、圧力Ｐｎの傾きを急にするように、ロータリソレノイド４３の駆動速度を速める制御としても良い。また、測定はアライメント完了の検出結果及び開瞼検出の検出結果に基づいて制御部７０が自動的にトリガ信号を発して行われるものとしたが、測定スイッチ８４を検者が押して手動でトリガ信号を入力して行っても良い。またさらに、アライメントは手動操作の場合でも良い。
【図面の簡単な説明】
【００４０】
【図１】実施例である非接触式眼圧計の外観概略図である。
【図２】実施例である非接触式眼圧計の光学系の要部構成図である。
【図３】実施例である非接触式眼圧計の制御系の要部構成図である。
【図４】被検眼の開瞼が十分である場合のＴＶモニタ上に表示される画面例を示した図である。
【図５】被検眼の開瞼が十分である場合のピストン駆動時におけるシリンダ内の圧力、変形検出用光検出器の受光量の変化を示す時系列図である。
【図６】測定エラー発生後の、ピストン駆動時におけるシリンダ内の圧力および、変形検出用光検出器の受光量の変化を示す時系列図である。
【図７】被検眼の開瞼が十分でない場合のＴＶモニタ上に表示される画面例を示した図である。
【符号の説明】
【００４１】
６  ノズル
７  赤外ＬＥＤ
１７  ＴＶモニタ
４２  ピストン
４３  ロータリソレノイド
５６  光検出器
７０  制御部
【図１】
2007202735.tif 000003
【図２】
2007202735.tif 000004
【図３】
2007202735.tif 000005
【図４】
2007202735.tif 000006
【図５】
2007202735.tif 000007
【図６】
2007202735.tif 000008
【図７】
2007202735.tif 000009